(57)【要約】      （修正有）【課題】マルチディスプレイのムラを誇張し、調整者にわかりやすく示す表示方法およびプログラムを提供する。【解決手段】表示装置の色を変更してマルチディスプレイのムラを誇張し、調整者にわかりやすく示す表示方法であって、基準とする色である基準値を設定する基準値設定工程と、表示装置の表示画面内の複数の測定点における色の測定データと、基準値の差に基づき表示色を決定する表示色決定工程と、複数の測定点を表示色により表示する表示工程を備える。【選択図】図１
2014095793.tif 000002
【特許請求の範囲】
【請求項１】
表示装置の色を変更して表示する表示方法であって、
基準とする色である基準値を設定する基準値設定工程と、
前記表示装置の表示画面内の複数の測定点における色の測定データと、前記基準値の差に基づき表示色を決定する表示色決定工程と、
前記複数の測定点を前記表示色により表示する表示工程を備えたこと
を特徴とする表示方法。
【請求項２】
前記表示装置は、マルチディスプレイであることを特徴とする前記請求項１に記載の表示方法。
【請求項３】
表示装置の色を変更して表示するプログラムであって、
基準とする色である基準値を設定する基準値設定工程と、
前記表示装置の表示画面内の複数の測定点における色の測定データと、前記基準値の差に基づき表示色を決定する表示色決定工程と、
前記複数の測定点を前記表示色により表示する表示工程を備えたこと
を特徴とするプログラム。
【請求項４】
表示装置の色を変更して表示する制御端末装置であって、
基準とする色である基準値を設定する基準値設定部と、
前記表示装置の表示画面内の複数の測定点における色の測定データと、前記基準値の差に基づき表示色を決定する表示色決定部と、
前記複数の測定点を前記表示色により表示する表示部を備えたこと
を特徴とする制御端末装置。
【請求項５】
複数の表示装置と、該表示装置を測定する色彩輝度計と、該表示装置の色を変更して表示する制御端末装置を備えたマルチディスプレイ測定・分析システムであって、
前記制御端末装置は、基準とする色である基準値を設定する基準値設定部と、
前記表示装置の表示画面内の複数の測定点における色の測定データと、前記基準値の差に基づき表示色を決定する表示色決定部と、
前記複数の測定点を前記表示色により表示する表示部を備えたこと
を特徴とするマルチディスプレイ測定・分析システム。
【発明の詳細な説明】
【技術分野】
【０００１】
本発明は、マルチディスプレイシステムにおけるムラを表示する方法およびプログラムに関する。
【背景技術】
【０００２】
マルチディスプレイは、複数のディスプレイを並べて配置し、一つの画像データをそれら複数のディスプレイにて表示するものである。技術の進展に伴い、ベゼルの幅が狭くなってきたため、複数のディスプレイを上下左右等に並べた場合でも、ベゼルは気にならず１枚の大きなディスプレイとして見ることができる。
【０００３】
１枚の大きなディスプレイのように見せることが可能となったことで、マルチディスプレイは、サイネージ用途やアミューズメント用途等、色々な場面で使用されるようになってきている。マルチディスプレイによれば、１つのディスプレイだけでは表現できない迫力のある大きな画像や多彩な画像を表現できる。
【０００４】
このように用途が広がるなか、マルチディスプレイにおいても、色の再現性や画質が重要視されるようになってきており、「マルチディスプレイにおける画面の均一性」を確保する技術が提案されている。マルチディスプレイにおいては、ディスプレイの個体差に起因するディスプレイ間の色ずれにより、マルチディスプレイ全体として見ると色ムラや輝度ムラ等のムラが発生する場合がある。このようなムラを補正する技術の開発が、重要な対策の１つである。「マルチディスプレイにおける画面の均一性」を確保するための先行技術として、例えば、特許文献１がある。
【０００５】
図１５は、特許文献１に記載の従来の色補正処理装置が実装されているマルチディスプレイ装置を示す構成図である。マルチディスプレイ１０１は、９台のディスプレイパネルから構成されている。色補正処理装置１０３は、ディスプレイパネル間の色ずれを補正する装置である。画像表示装置１０２は、色補正処理装置１０３により補正された各種の画像を、ディスプレイパネルに表示する。
【０００６】
色補正処理装置１０３において、デジタルスチルカメラ（ＤＳＣ）１１２は、画像取得処理部１１３の指示の下、各ディスプレイパネルに表示されている色補正用の画像を撮影し、その撮影画像であるＲＡＷ画像を示すＲＡＷ画像データを画像取得処理部１１３に出力する。画像調整処理部１１４は、撮影画像であるＲＡＷ画像に対するホワイトバランス調整を行う。目標色度算出処理部１１５は、ホワイトバランス調整処理後のＲＡＷ画像から、各ディスプレイパネルの目標色度を算出する。色補正係数算出処理部１６は、目標色度算出処理部１１５により算出された目標色度と各ディスプレイパネルの色度から色補正係数を算出する。色補正処理部１１７は、色補正係数算出処理部１１６により算出された色補正係数を用いて、各ディスプレイパネルの色補正を行う。以上のような構成により、複数のディスプレイパネル間の色ずれを精度よく補正している。
【先行技術文献】
【特許文献】
【０００７】
【特許文献１】特開２０１２−８８５５１号公報
【発明の概要】
【発明が解決しようとする課題】
【０００８】
このように、マルチディスプレイのムラを自動的に補正する種々の技術が既に存在する。しかしながら、補正前後のムラを数値データで確認することしかできなかったために、マルチディスプレイの調整者は、具体的にどのように補正が行われたのかがわかりにくい。
【０００９】
すなわち、ムラの量やどのように色ずれが発生しているかを、調整者に測定値を単に数値で示しただけでは、調整者は直感的に理解できない。また、輝度や色の微小なムラは、目視ではわかりにくい。また、人間の目の知覚能力や視力にはばらつきがあるため、人によって判断が異なるという問題もある。このため、ムラを視覚的に分かりやすく表示することが求められていた。
【００１０】
本発明は上記の課題に鑑みてなされたものであり、マルチディスプレイのムラを誇張し、調整者にわかりやすく示す表示方法およびプログラムを提供することを目的とする。
【課題を解決するための手段】
【００１１】
上記の課題を解決するために、本発明の一態様によれば、本発明にかかる表示方法は、表示装置の色を変更して表示する表示方法であって、基準とする色である基準値を設定する基準値設定工程と、表示装置の表示画面内の複数の測定点における色の測定データと、基準値の差に基づき表示色を決定する表示色決定工程と、複数の測定点を表示色により表示する表示工程を備えたことを特徴とする。
【００１２】
本発明の別の一態様によれば、表示装置は、マルチディスプレイであることを特徴とする。
【００１３】
本発明の別の一態様によれば、本発明にかかるプログラムは、表示装置の色を変更して表示するプログラムであって、基準とする色である基準値を設定する基準値設定工程と、表示装置の表示画面内の複数の測定点における色の測定データと、基準値の差に基づき表示色を決定する表示色決定工程と、複数の測定点を表示色により表示する表示工程を備えたことを特徴とする。
【００１４】
本発明の別の一態様によれば、本発明にかかる制御端末装置は、表示装置の色を変更して表示する制御端末装置であって、基準とする色である基準値を設定する基準値設定部と、表示装置の表示画面内の複数の測定点における色の測定データと、基準値の差に基づき表示色を決定する表示色決定部と、複数の測定点を表示色により表示する表示部を備えたことを特徴とする。
本発明の別の一態様によれば、本発明にかかるマルチディスプレイ測定・分析システムは、複数の表示装置と、表示装置を測定する色彩輝度計と、表示装置の色を変更して表示する制御端末装置を備えたマルチディスプレイ測定・分析システムであって、制御端末装置は、基準とする色である基準値を設定する基準値設定部と、表示装置の表示画面内の複数の測定点における色の測定データと、基準値の差に基づき表示色を決定する表示色決定部と、複数の測定点を表示色により表示する表示部を備えたことを特徴とする。
【発明の効果】
【００１５】
本発明によれば、マルチディスプレイのムラを、ユーザにわかりやすく示すことができる。
【図面の簡単な説明】
【００１６】
【図１】実施形態１にかかるマルチディスプレイ測定・分析システムの構成を示すブロック図である。
【図２】配置記憶部に記憶されたデータの一例を示したものである。
【図３】１台のディスプレイの測定処理を示すフローチャートである。
【図４】ディスプレイの表示部の画面内での測定位置の例を示した図である。
【図５】全てのディスプレイの測定データの例を示す図である。
【図６】１台のディスプレイの測定処理の別の例を示すフローチャートである。
【図７】色差計算部で行うディスプレイの色差の分析処理を示したフローチャートである。
【図８】測定データの分析処理の詳細を示したフローチャートである。
【図９】表示色の決定処理の詳細を示したフローチャートである。
【図１０】ディスプレイの色差の分析処理の経過と結果の一例を示した図である。
【図１１】分析結果を制御端末装置の表示部に表示する際の表示の一例を示した図である。
【図１２】実施形態２にかかるマルチディスプレイ測定・分析システムの構成を示すブロック図である。
【図１３】ＲＧＢ調整値計算部における処理を示したフローチャートである。
【図１４】実施形態３において、色差計算部で行うディスプレイの色差の分析処理を示したフローチャートである。
【図１５】従来の色補正処理装置が実装されているマルチディスプレイ装置を示す構成図である。
【発明を実施するための形態】
【００１７】
以下、本発明の実施形態を、図面を用いて説明する。図面や以下の記述中で示す内容は例示であって、本発明の範囲は，図面や以下の記述中で示すものに限定されない。なお、本発明の図面において、同一の参照符号は、同一部分または相当部分を表わすものとする。
【００１８】
＜実施形態１＞
本発明の実施形態１は、複数のディスプレイから構成されたマルチディスプレイにおける、マルチディスプレイ測定・分析システムに関する。これは、マルチディスプレイを構成するディスプレイの表示部の複数点を測定して、測定点間の色差を分析し、マルチディスプレイのムラをユーザにわかりやすく表示するものである。
【００１９】
図１は、本実施形態にかかるマルチディスプレイ測定・分析システムＳ１の構成を示すブロック図である。
【００２０】
マルチディスプレイ測定・分析システムＳ１は、複数のディスプレイ１と、制御端末装置２と、色彩輝度計３から構成される。マルチディスプレイは、複数の同一仕様のディスプレイ１を、予め定める配置パターン、たとえば２×２パターン（縦２台および横２台の計４台）、３×３パターン（縦３台および横３台の計９台）、１×３パターン（縦１台および横３台の計３台）、２×４パターン（縦２台および横４台の計８台）などの配置パターンに配置するものである。２×２パターンであれば、４台のディスプレイ１の配置位置は、左上、右上、左下および右下となる。
【００２１】
配置パターンは、各ディスプレイ１の表示面が同一平面に含まれるように、表示方向を揃えて配置するパターンである。詳細には、各ディスプレイ１の表示面が矩形状であり、表示面の少なくとも１つの辺部が他の表示面の辺部と対向するように、各ディスプレイ１を配置パターンの各配置位置に配置する。
【００２２】
ディスプレイ１は、表示部１０、表示駆動部１１、通信部１２、操作部１３、制御部１４を含んで構成される。表示部１０は、液晶パネルなどによって実現され、外形が矩形状の表示面を有する。表示駆動部１１は、制御部１４から入力される画像データに基づいて、表示部１０を駆動させて画像を表示させる。
【００２３】
通信部１２は、制御端末装置２とデータ通信するためのインターフェイスである。制御端末装置２からは、測定時に制御コマンドが送信され、ディスプレイ１からは、識別情報である製造番号などが制御端末装置２に送信される。制御端末装置２との通信は、特に限定されず、有線通信でも無線通信でも可能であり、データ通信は、ＲＳ−２３２Ｃ、ＵＳＢ（Ｕｎｉｖｅｒｓａｌ  Ｓｅｒｉａｌ  Ｂｕｓ）、ＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）、有線ＬＡＮ、無線ＬＡＮ、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ  Ｃｏｎｓｕｍｅｒ  Ｅｌｅｃｔｒｏｎｉｃｓ  Ｃｏｎｔｒｏｌ）など各種の方式が利用できる。操作部１３は、リモートコントローラ、装置本体に設けられた各種キーなどであり、ユーザが操作することで、ディスプレイ１の設定変更などを行うことができる。
【００２４】
制御部１４は、ディスプレイ１の動作全体を制御する部分であり、コマンド処理部１４ａ、内蔵パターン生成部１４ｂ、および操作処理部１４ｃを有する。コマンド処理部１４ａは、制御端末装置２から送信されるコマンドの内容を解釈して、解釈した内容に応じた動作制御を行う。内蔵パターン生成部１４ｂは、ディスプレイ１の表示面の輝度および色度を測定するときに、表示面に表示させる測定用の画像パターンを生成する。測定用パターンは、たとえば、全面白色画像、全面グレー画像、色彩輝度計３の配置の指標となる画像などである。操作処理部１４ｃは、操作部１３が操作されたときに、その操作内容を解析する。なお、本願では、輝度および色度を合わせて、単に「色」とも呼ぶ。
【００２５】
制御端末装置２は、通信部２０、記憶部２１、制御部２２および表示部２３を含んで構成される。制御端末装置２は、ディスプレイ１と色彩輝度計３に通信部２０で接続されている。
【００２６】
通信部２０は、ディスプレイ１、色彩輝度計３、制御部２２および表示部２３とデータ通信するためのインターフェイスである。記憶部２１は、制御端末装置２の動作時に必要な各種プログラムや一時データなどを記憶する。制御部２２は、制御端末装置２の動作全体を制御すると共に、各種の計算処理を行う。表示部２３は、各種情報の表示を行う。
【００２７】
通信部２０は、ディスプレイ１に対しては、制御用コマンドを送受信する。色彩輝度計３に対しては、測定命令を送信し、測定データを受信する。表示部２３に対しては、表示用の画像データを送信する。ディスプレイ１との通信には、例えば、ＲＳ−２３２Ｃ、ＵＳＢ、ＤＤＣ／ＣＩ、有線ＬＡＮ、無線ＬＡＮ等を用いる。色彩輝度計３との通信には、例えば、ＲＳ−２３２Ｃ、ＵＳＢ等を用いる。表示部２３との通信には、例えば、ＨＤＭＩ、ＤＶＩ（Ｄｉｇｉｔａｌ  Ｖｉｓｕａｌ  Ｉｎｔｅｒｆａｃｅ）、Ｄ−ＳＵＢ（Ｄ−ｓｕｂｍｉｎｉｔｕｒｅ）等を用いる。
【００２８】
記憶部２１は、配置記憶部２１ａ、測定値記憶部２１ｂおよび色差記憶部２１ｃを有する。
【００２９】
配置記憶部２１ａは、複数のディスプレイ１の設置位置とディスプレイ１の製造番号を記憶する。
【００３０】
測定値記憶部２１ｂは、色彩輝度計３から受信した測定データを、測定したディスプレイ１の製造番号と関連付けて記憶する。測定データは、ディスプレイ１の表示面の輝度および色度を示すものであればどのような表色系で表わされた値でもかまわない。たとえば、ＸＹＺ表色系によるＸ値、Ｙ値、Ｚ値またはＬ＊ａ＊ｂ＊表色系（ＣＩＥ  １９７６）によるＬ＊値、ａ＊値、ｂ＊値などを用いることができる。
【００３１】
色差記憶部２１ｃは、後述する計算によって算出される各種色差を記憶する。
【００３２】
制御部２２は、測定値処理部２２ａ、色差計算部２２ｂ、表示制御部２２ｃおよびコマンド生成部２２ｄを有する。
【００３３】
測定値処理部２２ａは、通信部２０が色彩輝度計３から受信した測定データと、ディスプレイ１から受信した製造番号とを関連付けて、測定値記憶部２１ｂに記憶する。
【００３４】
色差計算部２２ｂは、各ディスプレイ１の表示部１０の表示面内の色差の計算や、隣接するディスプレイ１間の色差の計算等を行い、計算結果を色差記憶部２１ｃに記憶する。詳細は後述する。
【００３５】
表示制御部２２ｃは、表示部２３に表示するためのデータを生成し、通信部２０を経由して、表示部２３に表示する。
【００３６】
コマンド生成部２２ｄは、測定対象のディスプレイ１の電源、測定用パターンの表示などの制御を行うための制御コマンドを生成し、通信部２０からディスプレイ１に送信する。
【００３７】
色彩輝度計３は、ディスプレイ１の表示面の輝度および色度を測定する、従来公知の装置である。ディスプレイ１の表示面に測定用パターンを表示させ、その輝度および色度を測定する。色彩輝度計には、１回の測定でディスプレイ１の表示面の複数の測定点を同時に測定できる２次元色彩輝度計と、１回の測定でディスプレイ１の表示面の１点のみを測定するスポット型色彩輝度計がある。本発明では、いずれのタイプの色彩輝度計を用いてもかまわない。色彩輝度計３は、制御端末装置２と接続されており、制御端末装置２から測定命令を受信すると測定を行い、得られた測定データを制御端末装置２に送信する。
【００３８】
次に、ディスプレイ１の測定方法について説明する。
【００３９】
本実施形態では、ディスプレイ１の配置パターンを２×２パターンとする。すなわち、４台のディスプレイ１により構成されたマルチディスプレイであるとする。配置記憶部２１ａには、配置パターンが２×２パターンであることと、各ディスプレイ１の製造番号を記憶させておく。
【００４０】
図２は、配置記憶部２１ａに記憶されたデータの一例を示した図である。説明を簡単にするため、製造番号が［０００１］〜［０００４］という連番の、４台のディスプレイ１により構成されているものとする。図２に示す通り、２×２パターンの縦２行、横２列の各位置に設置されたディスプレイ１の製造番号を記憶させている。
【００４１】
図３は、１台のディスプレイ１の測定処理を示すフローチャートである。図３において、Ａ１〜Ａ８の処理は、測定値処理部２２ａの処理であり、Ｂ１〜Ｂ５の処理は、ディスプレイ１の処理であり、Ｃ１〜Ｃ３は、色彩輝度計３の処理である。なお、図３では、色彩輝度計３として、２次元色彩輝度計を用いた場合の処理を示している。
【００４２】
図３によれば、測定値処理部２２ａは、ステップＡ１で、ディスプレイ１の表示部１０の画面内での測定点数を決定する。測定点数の詳細については後述する。
【００４３】
次に、測定値処理部２２ａは、ステップＡ２で、ディスプレイ１に製造番号読み出し命令を送信する。
【００４４】
ディスプレイ１は、ステップＢ１で、測定値処理部２２ａから製造番号読み出し命令を受信すると、ステップＢ２で制御端末装置２に読み出した製造番号を送信する。
【００４５】
測定値処理部２２ａは、ステップＡ３で、ディスプレイ１から製造番号を受信する。
【００４６】
次に、測定値処理部２２ａは、ステップＡ４で、ディスプレイ１に測定用パターン表示命令を送信する。
【００４７】
ディスプレイ１は、ステップＢ３で、測定値処理部２２ａから測定用パターン表示命令を受信すると、ステップＢ４で、表示部１０に測定用パターンを表示し、ステップＢ５で、制御端末装置２に測定用パターン表示完了を送信する。
【００４８】
測定値処理部２２ａは、ステップＡ５で、ディスプレイ１から測定用パターン表示完了を受信する。
【００４９】
次に、測定値処理部２２ａは、ステップＡ６で、色彩輝度計３に対して測定命令を送信する。
【００５０】
色彩輝度計３は、ステップＣ１で、測定値処理部２２ａから測定命令を受信すると、ステップＣ２で、測定対象のディスプレイ１の表示部１０の測色を行い、ステップＣ３で、測定データを制御端末装置２に送信する。
【００５１】
測定値処理部２２ａは、ステップＡ７で、色彩輝度計３から測定データを受信する。色彩輝度計３として２次元色彩輝度計を用いた場合は、ディスプレイ１の表示部１０全体を一度に測定可能であるため、測定は１回で良い。また、本実施形態では、測定データはＸＹＺ値とする。
【００５２】
次に、ステップＡ８で、測定データおよび製造番号を、測定値記憶部２１ｂに記憶する。以上で１台のディスプレイ１の測定処理を終了する。
【００５３】
図４は、ディスプレイ１の表示部１０の画面内での測定位置の例を示した図である。図４（ａ）に示すように、少なくとも、上部、下部、左部、右部の４点、もしくは当該４点に中央点を加えた５点を測定する。可能であれば、図４（ｂ）に示すように、ディスプレイを縦方向に３分割、横方向に３分割した全部で９点（左上、左中、左下、上中、中央、下中、右上、右中、右下）の測定を行うことが好ましい。また、図４（ｃ）のように、特に気になる場所だけにしても良いし、図４（ｄ）のように、さらに細かく分割して１２点の測定を行っても良い。本実施形態では、図４（ｂ）に示したように９個の測定点を設定した。
【００５４】
ディスプレイの大型化に伴い、１台のディスプレイ１の表示部１０の画面内でも、上下左右等の場所によって、若干の色の差が有る。このような差も、上述したように、隣接されるディスプレイの対応する部分の色味と異なる場合、差として目立つことがある。このため、ムラ補正のためにディスプレイを測定する場合、ディスプレイの中央部だけを測定するのでは不十分であり、複数点を測定対象とする必要がある。また、表示部１０の画面内の周辺に位置する領域においては、隣接されるディスプレイにより近い部分、すなわち、より画面の端部に近い部分に小領域４１を配置することが望ましい。
【００５５】
上記のような測定を、４台のディスプレイ１について行い、４台分の測定データを得る。
【００５６】
図５は、全てのディスプレイ１の測定データの例を示す図である。製造番号［０００１］〜［０００４］の４台のディスプレイ１の測定データとして、それぞれ９個の測定点の位置全てにおけるＸＹＺ値が得られる。このような測定データが、測定値記憶部２１ｂに記憶される。
【００５７】
図６は、１台のディスプレイ１の測定処理の別の例を示すフローチャートである。ここでは、色彩輝度計３として、スポット型色彩輝度計を用いた場合の処理を示している。図６において、Ａ１１〜Ａ２２の処理は、測定値処理部２２ａの処理であり、Ｂ１〜Ｂ５の処理は、ディスプレイ１の処理であり、Ｃ１〜Ｃ３は、色彩輝度計３の処理である。ディスプレイ１の処理と色彩輝度計３の処理は、図３に示した処理と同様であるため、同じ符号で示している。以下の説明でも、ディスプレイ１の処理と色彩輝度計３の処理の説明は省略する。
【００５８】
図６によれば、測定値処理部２２ａは、ステップＡ１１で、ディスプレイ１の表示部１０の画面内での測定点数を決定する。この測定点数をＭｍａｘとする。本実施例では上記の通り、Ｍｍａｘ＝９である。
【００５９】
次に、ステップＡ１２で、ディスプレイ１に製造番号読み出し命令を送信し、ステップＡ１３で、ディスプレイ１から製造番号を受信する。
【００６０】
ステップＡ１４〜Ａ２１は、ディスプレイ１の表示部１０の画面内の全ての測定点の測定を順に行うためのループ処理である。
【００６１】
まず、ステップＡ１４で、変数ｍに１を代入し、初期化する
次に、ステップＡ１５で、ディスプレイ１にｍ番目の測定点に測定用パターンを表示する命令を送信し、ステップＡ１６で、ディスプレイ１から測定用パターン表示完了を受信する。
【００６２】
次に、ステップＡ１７で、色彩輝度計３をディスプレイ１の表示部１０における測定用パターンの表示位置に合わせる。これは、測定者自身が色彩輝度計３を移動させて合わせても良いし、自動的に色彩輝度計３を移動させる機構を用いても良い。
【００６３】
次に、ステップＡ１８で、色彩輝度計３に対して測定命令を送信し、ステップＡ１９で、色彩輝度計３から測定データを受信する。
【００６４】
次に、ステップＡ２０で、変数ｍの値を１増やし、ステップＡ２１で、ｍ＞Ｍｍａｘであるかを判定する。Ｎｏの場合はステップＡ１５に戻り、次の測定点の測定を行う。Ｙｅｓの場合は、全ての測定点の測定が終了したことを意味するので、次のステップＡ２２に進む。
【００６５】
ステップＡ２２では、全ての測定点の測定データおよび製造番号を、測定値記憶部２１ｂに記憶する。以上で１台のディスプレイ１の測定処理を終了する。
【００６６】
上記のようにディスプレイ１の測定処理が終わると、次に、色差計算部２２ｂにおいて、ディスプレイ１の色差の分析処理を行う。
【００６７】
図７は、色差計算部２２ｂで行うディスプレイ１の色差の分析処理を示したフローチャートである。
【００６８】
ステップＤ１で、測定値記憶部２１ｂに記憶された測定データを読み出す。
【００６９】
次に、ステップＤ２で、色差計算のための基準値を設定する。より詳細には、色差計算の基準とする輝度および色度のＸＹＺ値を設定する。基準値としては、例えば、測定データの中で最大輝度の位置の測定データを用いても良い。また、測定データの平均値を用いても良い。また、測定データの中から任意のデータを選んで用いても良い。あるいは、Ｄ６５のような標準的な白色点の三刺激値を用いても良い。
【００７０】
次に、ステップＤ３で、測定データの分析処理を行う。詳細は後述する。
【００７１】
次に、ステップＤ４で、分析処理の結果を色差記憶部２１ｃに記憶させた後、ステップＤ５で、分析結果を表示部２３に表示する。
【００７２】
次に、ステップＤ６で、再分析を行うかを、ユーザに選択させる。より具体的には、ステップＤ２で設定した基準値を変更して再度分析を行うかを、ユーザに選択させる。これは、基準値の選び方により色差の計算値が変わり、ムラの表示具合も変わるため、基準値を調整できる仕組みを備えておくことが好ましいと考えられるためである。ステップＤ６でＹｅｓの場合、すなわち再分析を行う場合は、ステップＤ２に戻る。Ｎｏの場合、すなわち再分析を行わない場合は、処理を終了する。
【００７３】
図８は、上記のステップＤ３における測定データの分析処理の詳細を示したフローチャートである。図８に示したＥ１〜Ｅ７のステップは、全てのディスプレイ１の全ての測定点のデータについて、ステップＥ３の表示色の決定処理を行うための、ループ処理である。ステップＥ５におけるＭｍａｘは、ディスプレイ１の画面内の測定点数であり、本実施形態では９個である。ステップＥ７におけるＮｍａｘは、マルチディスプレイを構成するディスプレイ１の数であり、本実施形態では４台である。
【００７４】
図９は、上記のステップＥ３における表示色の決定処理の詳細を示したフローチャートである。ステップＥ３は、より具体的には、測定データからその測定点の色差を視覚的に表示する際の表示色を決定する処理を行う。
【００７５】
ステップＦ１で、上記のステップＤ２で設定した基準値に対する、分析対象の測定点の測定データの、色差ΔＥおよび色相ΔＨを算出する。
【００７６】
色差ΔＥは、以下のように算出する。基準値と分析対象の測定データのいずれも、ＸＹＺ値である。そこでまず、色空間変換処理によって、ＸＹＺ値からＬ＊ａ＊ｂ＊値に変換する。ＸＹＺ値からＬ＊ａ＊ｂ＊値への変換は、従来公知の変換式を用いて演算により行うことができる。変換後の基準値を（Ｌｓ＊、ａｓ＊、ｂｓ＊）、変換後の測定データを（Ｌｍ＊、ａｍ＊、ｂｍ＊）とする。色差ΔＥは、ΔＬ＊＝Ｌｍ＊−Ｌｓ＊、Δａ＊＝ａｍ＊−ａｓ＊、Δｂ＊＝ｂｍ＊−ｂｓ＊を算出し、ΔＥ＝（（ΔＬ＊）２＋（Δａ＊）２＋（Δｂ＊）２）１／２で算出できる。
【００７７】
また、色相ΔＨは以下のように算出する。まず、基準値と分析対象の測定データを、色空間変換処理によりＸＹＺ値からＲＧＢ値に変換する。ＸＹＺ値からＲＧＢ値への変換は、従来公知の変換式を用いて演算により行うことができる。変換後の基準値を（Ｒｓ、Ｇｓ、Ｂｓ＊）、変換後の測定データを（Ｒｍ、Ｇｍ、Ｂｍ）とする。色相ΔＨは、ΔＲ＝Ｒｍ−Ｒｓ、ΔＧ＝Ｇｍ−Ｇｓ、ΔＢ＝Ｂｍ−Ｂｓを算出し、ΔＨ＝ａｒｃｔａｎ｛３１／２×（ΔＧ−ΔＢ）／（２ΔＲ−ΔＧ−ΔＢ）｝で算出できる。
【００７８】
次に、ステップＦ２〜Ｆ６で、色差ΔＥの値に応じて、多分岐処理を行う。
【００７９】
ΔＥ＞８の場合は、ステップＦ３に進む。これを以下では、色差ΔＥが「大」の場合と呼ぶ。ステップＦ３では、変数Ｃｏｌｏｒに１００を代入する。変数Ｃｏｌｏｒは、表示色の決定に用いる変数である。その後、ステップＦ７に進む。
【００８０】
５＜ΔＥ≦８の場合は、ステップＦ４に進む。これを以下では、色差ΔＥが「中」の場合と呼ぶ。ステップＦ４では、変数Ｃｏｌｏｒに１５０を代入する。その後、ステップＦ７に進む。
【００８１】
２＜ΔＥ≦５の場合は、ステップＦ５に進む。これを以下では、色差ΔＥが「小」の場合と呼ぶ。ステップＦ５では、変数Ｃｏｌｏｒに２００を代入する。その後、ステップＦ７に進む。
【００８２】
ΔＥ≦２の場合は、ステップＦ６に進む。これは、色差ΔＥが０または０に近い値の場合である。これを以下では、色差ΔＥが「無」の場合と呼ぶ。ステップＦ６では、表示色のＲＧＢ値を、Ｒ＝２５５、Ｇ＝２５５、Ｂ＝２５５と決定する。すなわち、この場合の表示色は白である。その後、ステップＥ３の処理を終了する。
【００８３】
上記の通り、ステップＦ３〜Ｆ５に進んだ場合は、次にステップＦ７に進む。ステップＦ７〜Ｆ１３では、色相ΔＨの値に応じて、多分岐処理を行う。
【００８４】
ΔＨ≦３０またはΔＨ＞３３０の場合は、ステップＦ８に進む。これは、基準値と比較した測定点の色相が、概ね赤の場合である。ステップＦ８では、表示色のＲＧＢ値を、Ｒ＝２５５、Ｇ＝Ｃｏｌｏｒ、Ｂ＝Ｃｏｌｏｒと決定する。すなわち、表示色も赤に決定する。その後、ステップＥ３の処理を終了する。
【００８５】
３０＜ΔＨ≦９０の場合は、ステップＦ９に進む。これは、基準値と比較した測定点の色相が概ね黄の場合である。ステップＦ９では、表示色のＲＧＢ値を、Ｒ＝２５５、Ｇ＝２５５、Ｂ＝Ｃｏｌｏｒと決定する。すなわち、表示色も黄に決定する。その後、ステップＥ３の処理を終了する。
【００８６】
９０＜ΔＨ≦１５０の場合は、ステップＦ１０に進む。これは、基準値と比較した測定点の色相が概ね緑の場合である。ステップＦ１０では、表示色のＲＧＢ値を、Ｒ＝Ｃｏｌｏｒ、Ｇ＝２５５、Ｂ＝Ｃｏｌｏｒと決定する。すなわち、表示色も緑に決定する。その後、ステップＥ３の処理を終了する。
【００８７】
１５０＜ΔＨ≦２１０の場合は、ステップＦ１１に進む。これは、基準値と比較した測定点の色相が概ねシアンの場合である。ステップＦ１１では、表示色のＲＧＢ値を、Ｒ＝Ｃｏｌｏｒ、Ｇ＝２５５、Ｂ＝２５５と決定する。すなわち、表示色もシアンに決定する。その後、ステップＥ３の処理を終了する。
【００８８】
２１０＜ΔＨ≦２７０の場合は、ステップＦ１２に進む。これは、基準値と比較した測定点の色相が概ね青の場合である。ステップＦ１２では、表示色のＲＧＢ値を、Ｒ＝Ｃｏｌｏｒ、Ｇ＝Ｃｏｌｏｒ、Ｂ＝２５５と決定する。すなわち、表示色も青に決定する。その後、ステップＥ３の処理を終了する。
【００８９】
２７０＜ΔＨ≦３３０の場合は、ステップＦ１３に進む。これは、基準値と比較した測定点の色相が概ねマゼンタの場合である。ステップＦ１３では、表示色のＲＧＢ値を、Ｒ＝２５５、Ｇ＝Ｃｏｌｏｒ、Ｂ＝２５５と決定する。すなわち、表示色もマゼンタに決定する。その後、ステップＥ３の処理を終了する。
【００９０】
以上、図９を用いて説明したステップＥ３における表示色の決定処理において、Ｆ２〜Ｆ６の多分岐処理は、表示色の彩度を決定する処理である。色差ΔＥが大きいほどＣｏｌｏｒの値を小さくしている。そして、変数Ｃｏｌｏｒの値が小さいほど、変数Ｃｏｌｏｒの値を用いて決定される表示色の彩度が高くなる。また、色差ΔＥの値に比べて変数Ｃｏｌｏｒの値の変化を大きくしていることから、表示色の違いをより大きく誇張する処理となっている。なお、ステップＦ６のように色差ΔＥが０または０に近い値の場合は、表示色は白、すなわち表示色の彩度は０である。
【００９１】
また、Ｆ７〜Ｆ１３の分岐処理は、色相ΔＨの値に基づき、基準値と比較した測定点の色相を、赤、黄、緑、シアン、青、およびマゼンタの６種類の色に分類し、これを表示色の色と決定する処理である。
【００９２】
図１０は、上記のディスプレイ１の色差の分析処理の経過と結果の一例を示した図である。図１０（ａ）は、前記のステップＦ１の処理により求めた色差ΔＥおよび色相ΔＨの値の一例を示している。色相ΔＨの欄で「−」と表示されている欄は、色差ΔＥが０または０に近い値であったためにステップＦ６の処理を通り、色相ΔＨが算出されなかったことを意味する。
【００９３】
図１０（ｂ）は、図１０（ａ）に示した色差ΔＥの値が、Ｆ３〜Ｆ６のいずれの処理に分岐するか、言い換えれば、色差ΔＥの値が、大、中、小および無のいずれの状態であるか置き換え、色相ΔＨの値を上記の６種類の色または白に置き換えて示している。
【００９４】
また、図１０（ｃ）は、図１０（ａ）で示した色差ΔＥおよび色相ΔＨの値から決定した表示色のＲＧＢ値を示している。
【００９５】
図１１は、上記の分析結果を制御端末装置２の表示部２３に表示する際の表示の一例を示した図である。図１１において、太線で示した矩形は、ディスプレイ１を表す。この矩形が４個、配置記憶部２１ａに記憶された配置位置に従って並べられている。矩形の中央には、製造番号を表示している。各矩形は、図４（ｂ）に示した測定点の配置と同じく、３×３の９個の領域に均等に分割されている。
【００９６】
領域５１は、製造番号［０００１］のディスプレイ１の、位置１の領域である。この領域を、図１０（ｃ）に示した通り、Ｒ＝１５０、Ｇ＝２５５、Ｂ＝１５０の表示色によって色付けする。同様に、領域５２は、製造番号［０００１］のディスプレイ１の、位置１の領域である。この領域を、図１０（ｃ）に示した通り、Ｒ＝２５５、Ｇ＝２００、Ｂ＝２００の表示色によって色付けする。その他の領域、その他のディスプレイ１についても同様に、上記の処理によって決定した表示色によって色付けする。
【００９７】
以上のような表示によれば、ディスプレイ１の各領域の間の色差、すなわちムラが誇張して表示され、ユーザは複数のディスプレイ１を組み合わせたマルチディスプレイにおけるムラの様子を、視覚的に分かりやすく、容易に把握できる効果を有する。
【００９８】
なお、このような表示は、複数のディスプレイ１を組み合わせたマルチディスプレイのムラの把握だけではなく、単体のディスプレイ１の表示部１０内でのムラについても、容易に把握できる効果を有する。
【００９９】
＜実施形態２＞
本発明の実施形態２にかかるマルチディスプレイ測定・分析システムＳ２は、実施形態１にかかるマルチディスプレイ測定・分析システムＳ１に、さらにマルチディスプレイを構成するディスプレイ間のムラを補正するＲＧＢ調整処理を加えたものである。
【０１００】
図１２は、本実施形態にかかるマルチディスプレイ測定・分析システムＳ２の構成を示すブロック図である。図１に示したマルチディスプレイ測定・分析システムＳ１と比較すると、ディスプレイ１’の制御部１４’に、ＲＧＢ調整部１４ｄが追加されている。また、制御端末装置２’において、記憶部２１’にＲＧＢ調整値記憶部２１ｄが、制御部２２’にＲＧＢ調整値計算部２２ｅが追加されている。
【０１０１】
ＲＧＢ調整部１４ｄは、ディスプレイ１’の色味を調整するためのＲＧＢ調整値を記憶し、それに基づき表示部１０に表示する映像データを補正する機能を有する。例えば、若干黄色っぽいディスプレイ１’と、若干青っぽいディスプレイ１’とを隣接させて配置すると、各ディスプレイ１’とも単体としては問題が無くても、ディスプレイ１’間の境界部分では、色の差が目立ってしまう。このような差は、各ディスプレイ１’が備える、赤色（Ｒ）成分、緑色（Ｇ）成分、青色（Ｂ）成分を独立に調整する機能（コントラスト調整等）を用いて色の表示特性を調整することで、目立たなくすることができる。このような調整のための調整値を、ＲＧＢ調整値と呼ぶ。
【０１０２】
ＲＧＢ調整値記憶部２１ｄは、ＲＧＢ調整値を求めた場合にそれを記憶する。
【０１０３】
ＲＧＢ調整値計算部２２ｅは、色差記憶部２１ｃに記憶された色差に基づいて、隣接するディスプレイ１’間の色差を縮小させるべく、各ディスプレイ１’のＲＧＢ調整値を算出する。また、そのＲＧＢ調整値によって調整された後の、隣接するディスプレイ１’間の色差をシミュレーションした値（これを以下では、シミュレーション色差と呼ぶ）を算出する。さらに、ＲＧＢ調整値やシミュレーション色差を、ＲＧＢ調整値記憶部２１ｄや、色差記憶部２１ｃに記憶する。
【０１０４】
図１３は、ＲＧＢ調整値計算部２２ｅにおける処理を示したフローチャートである。この処理は、上記の図７を用いて説明した、ディスプレイの色差の分析処理の後に実行する。
【０１０５】
ステップＧ１で、色差記憶部２１ｃに記憶された色差に基づいて、隣接するディスプレイ１’間の色差を縮小させるＲＧＢ調整値を、ディスプレイ１’ごとに設定する。ＲＧＢ調整値は、従来公知の方法により自動設定しても良い。あるいは、ＲＧＢ調整値は、手動調整により設定しても良い。
【０１０６】
次に、ステップＧ２で、ＲＧＢ調整値により調整を行った後の各ディスプレイ１’の測定値を推定したデータ（これを以下では、推定測定データと呼ぶ）を算出する。このように推定測定データを用いるのは、実際にディスプレイ１’の測定を行う手間を軽減するため、また、ディスプレイの設置導入時間が限定されている場合などでは調整後の測定ができないためである。
【０１０７】
次に、ステップＧ３で、推定測定データの分析処理を行う。これは、上記のステップＤ３における測定データの分析処理とほぼ同じである。ステップＤ３では実際の測定データを分析したのに対し、本ステップＧ３では、推定測定データを分析する点が異なる。この処理により、推定測定データに関して、測定点の色差を視覚的に表示する際の表示色が決定される。
【０１０８】
次に、ステップＧ４で、分析処理の結果を色差記憶部２１ｃに記憶させた後、ステップＧ５で、分析結果を表示部２３に表示する。
【０１０９】
次にステップＧ６で、ＲＧＢ調整値の再設定を行うかを、ユーザに選択させる。ユーザがステップＧ５で表示された分析結果を見て調整が十分ではないと判断した場合に、ＲＧＢ調整値を変更して再度分析できるようにするためである。Ｙｅｓの場合、すなわち再設定を行う場合は、ステップＧ１に戻る。Ｎｏの場合、すなわち再設定を行わない場合は、ステップＧ７に進む。
【０１１０】
次に、ステップＧ７で、ＲＧＢ調整値をディスプレイ１’に送信するかを、ユーザに選択させる。Ｙｅｓの場合、すなわち送信する場合は、ステップＧ８に進む。Ｎｏの場合、すなわち送信しない場合は、処理を終了する。
【０１１１】
ステップＧ８では、ＲＧＢ調整値をディスプレイ１’に送信する。より具体的には、制御端末装置２’の通信部２０からディスプレイ１’の通信部１２にＲＧＢ調整値を送り、それをＲＧＢ調整部１４ｄに記憶させる。その後、処理を終了する。
【０１１２】
以上のような処理および表示によれば、マルチディスプレイを構成するディスプレイ間のムラを補正するＲＧＢ調整処理を行う場合に、ＲＧＢ調整処理後のムラの状態を、都度再測定することなく素早く確認することができる。また、ディスプレイ１’の各領域のムラが誇張して表示されていることから、ユーザはＲＧＢ調整処理によるムラの改善あるいは劣化を、容易に把握できる。これにより、ＲＧＢ調整処理を素早く行うことが可能になるという効果を有する。
【０１１３】
なお、本実施形態では、ディスプレイ１’の表示部１０の画面内でのムラの補正は行っていないが、そのような補正も併せて行えば、よりムラの少ないマルチディスプレイを実現することが可能である。
【０１１４】
＜実施形態３＞
本発明の実施形態３では、実際に複数のディスプレイを組み合わせてマルチディスプレイを構成する前に、ディスプレイ間のムラをシミュレーションして誇張表示し、最適なディスプレイ配置を選択しやすくすることを目的としたマルチディスプレイ測定・分析システムについて説明する。
【０１１５】
本実施形態にかかるマルチディスプレイ測定・分析システムの構成は、図１に示したマルチディスプレイ測定・分析システムＳ１と同じく、複数のディスプレイ１と、制御端末装置２と、色彩輝度計３とから構成される。ただし、複数のディスプレイ１はまだ組み合わされておらず、マルチディスプレイを構成していない。
【０１１６】
本実施形態では、ディスプレイ１の配置パターンを２×２パターンとする。すなわち、４台のディスプレイ１により構成されたマルチディスプレイであるとする。また、ディスプレイ１は、製造番号が［０００１］〜［０００８］の８台が用意されており、その中から４台を選んでマルチディスプレイを構成するものとする。配置記憶部２１ａには、配置パターンが２×２パターンであることを記憶させておくが、具体的な配置はまだ決まっていない。
【０１１７】
図１４は、本実施形態において、色差計算部２２ｂで行うディスプレイ１の色差の分析処理を示したフローチャートである。この処理は、上記の図７を用いて説明した、実施形態１におけるディスプレイ１の色差の分析処理と類似する。このため、同一の処理を行うステップには、同一の符号を付してある。また、この処理は、上記の図３を用いて説明した、ディスプレイ１の測定処理を行った後に実行する。
【０１１８】
ステップＤ１で、測定値記憶部２１ｂに記憶された測定データを読み出す。
【０１１９】
次に、ステップＤ２で、色差計算のための基準値を設定する。詳細は上記の通りであるため、説明を省略する。
【０１２０】
次に、ステップＤ７で、仮ディスプレイ配置を設定する。本実施形態では、配置パターンは２×２パターンであるため、左上、右上、左下および右下の４台のディスプレイ１を用いる。そこで、それぞれの位置に仮にどのディスプレイ１を配置するか、ユーザに手動で製造番号を設定させる。ユーザは例えば、左上：［０００１］、右上：［０００４］、左下：［０００７］、右下：［０００３］のように設定する。このように、各位置に８台のディスプレイ１の中から任意のディスプレイ１を設定して良い。そして、設定した仮ディスプレイ配置を配置記憶部２１ａに記憶させる。
【０１２１】
次に、ステップＤ３で、測定データの分析処理を行う。詳細は上記の通りであるため、説明を省略する。
【０１２２】
次に、ステップＤ４で、分析処理の結果を色差記憶部２１ｃに記憶させた後、ステップＤ５で、分析結果を表示部２３に表示する。これにより、仮ディスプレイ配置に関して、マルチディスプレイのムラが誇張して表示される。
【０１２３】
次に、ステップＤ８で、仮ディスプレイ配置を再設定するかを、ユーザに選択させる。ユーザがステップＤ５による表示結果を確認し、ムラが大きすぎると判断した場合に、別の仮ディスプレイ配置を試すためである。ステップＤ８でＹｅｓの場合、すなわち仮ディスプレイ配置を再設定する場合は、ステップＤ７に戻る。Ｎｏの場合、すなわち仮ディスプレイ配置の再設定を行わない場合は、ステップＤ６へ進む。
【０１２４】
次に、ステップＤ６で、再分析を行うかを、ユーザに選択させる。詳細は上記の通りであるため、省略する。ステップＤ６でＹｅｓの場合、すなわち再分析を行う場合は、ステップＤ２に戻る。Ｎｏの場合、すなわち再分析を行わない場合は、処理を終了する。
【０１２５】
以上のような処理によれば、ユーザは、実際にマルチディスプレイを構築する前に、ディスプレイ１の様々な組み合わせによりマルチディスプレイのムラがどのようになるかを視覚的に分かりやすく把握することができ、よりムラの少ない配置をあらかじめ選択できるという効果を有する。実際にディスプレイ１を組み合わせて測定を行い、ムラが大きい場合には組み替えるということを行うと、マルチディスプレイの構築に多大な時間と労力を有する。本発明は、そのような時間と労力を大幅に削減する効果を有する。
【０１２６】
なお、上記のステップＤ７では、仮ディスプレイ配置をユーザに手動で行わせた。その代わりに、８台のディスプレイ１の測定データを用いて、ムラが最小となる配置を自動的に選択させるようにしても良い。そのような配置選択手段は、従来公知の方法を用いることができる。
【０１２７】
なお、上記の実施形態１〜３において、図９を用いて説明した表示色の決定方法は、あくまで一例であり、他の決定方法を用いても構わない。
【０１２８】
また、上記の図９を用いて説明した表示色の決定処理におけるＦ２〜Ｆ６の多分岐処理では、表示色の違いをより大きく誇張する処理を行っていた。さらに、この誇張の度合いを調整して、再度表示させることもできる。例えば、Ｆ２〜Ｆ５におけるＣｏｌｏｒの値は、１００、１５０、２００であるが、２５、１００、１７５という異なる値の組を用意し、それらを切り替えられるようにしても良い。Ｃｏｌｏｒの値を２５、１００、１７５と変化させる方が、誇張の度合いは大きくなる。
【０１２９】
また、上記の実施形態１〜３においては、制御端末装置自体が色彩輝度計を用いてディスプレイの測定を行っていたが、ディスプレイの製造時に、予め工場で測定を行っておき、そのデータを制御端末装置に取り込んで用いても良い。
【０１３０】
以上、本発明の実施形態１〜３について具体的に説明を行ったが、本発明はそれらに限定されるものではない。上述した３つの実施形態に開示された技術的手段を適宜組み合わせて得られる実施形態についても本発明の技術的範囲に含まれる。
【０１３１】
上記の実施形態１〜３の説明では、機能を実現するための各構成要素をそれぞれ異なる部位であるとして説明を行っているが、実際にこのように明確に分離して認識できる部位を有していなければならないわけではない。機能を実現するための各構成要素が、例えば実際にそれぞれ異なる部位を用いて構成されていてもかまわないし、あるいは、全ての構成要素を一つのＬＳＩに実装していてもかまわない。すなわち、どういう実装形態であれ、機能として各構成要素を有していれば良い。
【０１３２】
また、上記の実施形態１〜３の説明では、一つの部位で複数の処理を実施している場合があるが、これらは処理ごとに構成部位を分けても構わない。例えば、色差計算部２２ｂは、上記の図７を用いて説明した複数の処理を行っているが、これを、基準とする色である基準値を設定する基準値設定部と、表示色を決定する表示色決定部の２つの部位に分けて実装しても構わない。
【０１３３】
また、上記の実施形態１〜３で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。
【０１３４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【符号の説明】
【０１３５】
１、１’：ディスプレイ
２、２’：制御端末装置
３：色彩輝度計
１０：表示部
１１：表示駆動部
１２：通信部
１３：操作部
１４、１４’：制御部
１４ａ：コマンド処理部
１４ｂ：内蔵パターン生成部
１４ｃ：操作処理部
１４ｄ：ＲＧＢ調性部
２０：通信部
２１、２１’：記憶部
２１ａ：配置記憶部
２１ｂ：測定値記憶部
２１ｃ：色差記憶部
２１ｄ：ＲＧＢ調整値記憶部
２２、２２’：制御部
２２ａ：測定値処理部
２２ｂ：色差計算部
２２ｃ：表示制御部
２２ｄ：コマンド処理部
２２ｅ：ＲＧＢ調整値計算部
２３：表示部
４１：小領域
５１、５２：領域
【図１】
2014095793.tif 000003
【図２】
2014095793.tif 000004
【図３】
2014095793.tif 000005
【図４】
2014095793.tif 000006
【図５】
2014095793.tif 000007
【図６】
2014095793.tif 000008
【図７】
2014095793.tif 000009
【図８】
2014095793.tif 000010
【図９】
2014095793.tif 000011
【図１０】
2014095793.tif 000012
【図１１】
2014095793.tif 000013
【図１２】
2014095793.tif 000014
【図１３】
2014095793.tif 000015
【図１４】
2014095793.tif 000016
【図１５】
2014095793.tif 000017